【手続補正書】
【提出日】平成27年3月9日(2015.3.9)
【手続補正１】
【補正対象書類名】特許請求の範囲
【補正対象項目名】全文
【補正方法】変更
【補正の内容】
【特許請求の範囲】
【請求項１】
低密度パリティチェック符号化システムであって、
第１のデータセットを符号化して第１の低密度パリティチェック符号化された部分符号語をもたらすように、かつ第２のデータセットを符号化して第２の低密度パリティチェック符号化された部分符号語をもたらすように動作可能な低密度パリティチェック符号化器回路と、
結合回路であって、
少なくとも前記第１の低密度パリティチェック符号化された部分符号語及び前記第２の低密度パリティチェック符号化された部分符号語を数学的に結合することによって低密度パリティチェック部分符号語の複合体を生成するように、かつ
少なくとも前記第１の低密度パリティチェック符号化された部分符号語及び該低密度パリティチェック部分符号語の複合体を結合して全体符号語にするように動作可能な結合回路と
を備える、低密度パリティチェック符号化システム。
【請求項２】
前記システムは、ディスクに基づくストレージデバイス、固体ストレージデバイス、及び受信デバイスからなる群から選択されたデバイスの一部分として実装される、請求項１に記載のシステム。
【請求項３】
前記システムは、集積回路の一部分として実装される、請求項１に記載のシステム。
【請求項４】
前記低密度パリティチェック部分符号語の複合体を生成することは、前記第１の低密度パリティチェック符号化された部分符号語及び前記第２の低密度パリティチェック符号化された部分符号語の２を法としたビット単位の数学的プロセスを実行して前記低密度パリティチェック部分符号語の複合体をもたらすことを含む、請求項１に記載のシステム。
【請求項５】
少なくとも前記第１の低密度パリティチェック符号化された部分符号語及び前記第２の低密度パリティチェック符号化された部分符号語を数学的に結合して有効な低密度パリティチェック符号語をもたらす、請求項１に記載のシステム。
【請求項６】
前記低密度パリティチェック部分符号語の複合体、前記第１の低密度パリティチェック符号化された部分符号語、及び前記第２の低密度パリティチェック符号化された部分符号語は全て同じ低密度パリティチェック復号アルゴリズムを用いて復号可能である、請求項１に記載のシステム。
【請求項７】
前記低密度パリティチェック符号化器回路は、第３のデータセットを符号化して第３の低密度パリティチェック符号化された部分符号語をもたらすように更に動作可能であり、
前記低密度パリティチェック部分符号語の複合体を生成することは、少なくとも前記第１の低密度パリティチェック符号化された部分符号語、前記第２の低密度パリティチェック符号化された部分符号語、及び前記第３の低密度パリティチェック符号化された部分符号語を数学的に結合することによって行われ、
少なくとも前記第１の低密度パリティチェック符号化された部分符号語及び前記低密度パリティチェック部分符号語の複合体を結合して前記全体符号語にすることは、少なくとも前記第１の低密度パリティチェック符号化された部分符号語、前記第２の低密度パリティチェック符号化された部分符号語、及び前記低密度パリティチェック部分符号語の複合体を結合して前記全体符号語をもたらすことを含む、請求項１に記載のシステム。
【請求項８】
データを符号化する方法であって、
低密度パリティチェック符号化アルゴリズムを用いて第１のデータセットを符号化し、第１の低密度パリティチェック符号化された部分符号語をもたらすことと、
低密度パリティチェック符号化アルゴリズムを用いて第２のデータセットを符号化し、第２の低密度パリティチェック符号化された部分符号語をもたらすことと、
少なくとも部分的に前記第１の低密度パリティチェック符号化された部分符号語及び前記第２の低密度パリティチェック符号化された部分符号語に基づいて、低密度パリティチェック部分符号語の複合体を数学的に計算することと、
少なくとも前記第１の低密度パリティチェック符号化された部分符号語及び前記低密度パリティチェック部分符号語の複合体を結合し、全体符号語にすることと
を含む、データを符号化する方法。
【請求項９】
前記低密度パリティチェック部分符号語の複合体を数学的に計算することは、前記第１の低密度パリティチェック符号化された部分符号語及び前記第２の低密度パリティチェック符号化された部分符号語の２を法としたビット単位の結合を実行することを含む、請求項８に記載の方法。
【請求項１０】
前記低密度パリティチェック部分符号語の複合体を数学的に計算することは、有効な低密度パリティチェック符号語をもたらす、請求項８に記載の方法。
【請求項１１】
前記低密度パリティチェック部分符号語の複合体、前記第１の低密度パリティチェック符号化された部分符号語、及び前記第２の低密度パリティチェック符号化された部分符号語は、全て同じ低密度パリティチェック復号アルゴリズムを用いて復号可能である、請求項８に記載の方法。
【請求項１２】
前記方法は、
低密度パリティチェック符号化アルゴリズムを用いて第３のデータセットを符号し、第３の低密度パリティチェック符号化された部分符号語をもたらすことを更に含み、
少なくとも部分的に前記第１の低密度パリティチェック符号化された部分符号語、前記第２の低密度パリティチェック符号化された部分符号語、及び前記第３の低密度パリティチェック符号化された部分符号語に基づいて、低密度パリティチェック部分符号語の複合体を数学的に計算し、
少なくとも前記第１の低密度パリティチェック符号化された部分符号語及び前記低密度パリティチェック部分符号語の複合体を結合し、前記全体符号語にすることは、少なくとも前記第１の低密度パリティチェック符号化された部分符号語、前記第２の低密度パリティチェック符号化された部分符号語、及び前記低密度パリティチェック部分符号語の複合体を結合し、前記全体符号語をもたらすことを含む、請求項８に記載の方法。
【請求項１３】
データ転送デバイスであって、
第１のデータセットを符号化して第１の低密度パリティチェック符号化された部分符号語をもたらすように、かつ第２のデータセットを符号化して第２の低密度パリティチェック符号化された部分符号語をもたらすように動作可能な低密度パリティチェック符号化器回路と、
結合回路であって、
少なくとも前記第１の低密度パリティチェック符号化された部分符号語及び前記第２の低密度パリティチェック符号化された部分符号語を数学的に結合することによって低密度パリティチェック部分符号語の複合体を生成するように、かつ
少なくとも前記第１の低密度パリティチェック符号化された部分符号語及び前記低密度パリティチェック部分符号語の複合体を結合して全体符号語にするように動作可能な結合回路と、
前記全体符号語を転送するように動作可能な書込み回路と
を備える、データ転送デバイス。
【請求項１４】
前記データ転送デバイスはストレージ媒体を有するストレージデバイスであり、該ストレージデバイスは前記全体符号語から取り出された情報を前記ストレージ媒体に転送する、請求項１３に記載のデータ転送デバイス。
【請求項１５】
前記ストレージ媒体は、磁気ストレージ媒体、及び固体メモリからなる群から選択される、請求項１４に記載のデータ転送デバイス。
【請求項１６】
前記データ転送デバイスは送受信機である、請求項１３に記載のデータ転送デバイス。
【請求項１７】
前記低密度パリティチェック部分符号語の複合体を生成することは、前記第１の低密度パリティチェック符号化された部分符号語及び前記第２の低密度パリティチェック符号化された部分符号語の２を法としたビット単位の数学的プロセスを実行して前記低密度パリティチェック部分符号語の複合体をもたらすことを含む、請求項１３に記載のデータ転送デバイス。
【請求項１８】
少なくとも前記第１の低密度パリティチェック符号化された部分符号語及び前記第２の低密度パリティチェック符号化された部分符号語を数学的に結合して有効な低密度パリティチェック符号語をもたらす、請求項１３に記載のデータ転送デバイス。
【請求項１９】
前記低密度パリティチェック部分符号語の複合体、前記第１の低密度パリティチェック符号化された部分符号語、及び前記第２の低密度パリティチェック符号化された部分符号語は、全て同じ低密度パリティチェック復号アルゴリズムを用いて復号可能である、請求項１３に記載のデータ転送デバイス。
【請求項２０】
前記低密度パリティチェック符号化器回路は、第３のデータセットを符号化して第３の低密度パリティチェック符号化された部分符号語をもたらすように更に動作可能であり、
前記低密度パリティチェック部分符号語の複合体を生成することは、少なくとも前記第１の低密度パリティチェック符号化された部分符号語、前記第２の低密度パリティチェック符号化された部分符号語、及び前記第３の低密度パリティチェック符号化された部分符号語を数学的に結合することによって行われ、
少なくとも前記第１の低密度パリティチェック符号化された部分符号語及び前記低密度パリティチェック部分符号語の複合体を結合して前記全体符号語にすることは、少なくとも前記第１の低密度パリティチェック符号化された部分符号語、前記第２の低密度パリティチェック符号化された部分符号語、及び前記低密度パリティチェック部分符号語の複合体を結合して前記全体符号語をもたらすことを含む、請求項１３に記載のデータ転送デバイス。